(57)【要約】【課題】複数種類の端末装置からのアクセスに対して情報提供ページを端末装置に表示できる電子商取引システムを提供する。【解決手段】店舗や商品を検索するための検索ページと、検索ページでの検索により店舗や商品の一覧を表示する一覧表示ページと、店舗や商品の詳細情報を表示する情報提供ページと、情報提供ページに表示された商品の購買処理を行うための購買処理ページとが準備され、上記情報提供ページの画面には、当該情報提供ページへのアクセスを可能とするＵＲＬに関する情報が記録されたＱＲコードが表示され、上記情報提供ページのＱＲコードを光学的に読み取ることにより取得したＵＲＬを利用して上記情報提供ページに対してアクセス要求されたときにアクセス要求した端末装置の種類を識別し、当該識別した種類の端末装置に適合した形式の情報提供ページを生成して当該端末装置に対して出力する。【選択図】図４
2007279864.tif 000002
【特許請求の範囲】
【請求項１】
通信ネットワークに接続されたウェブサーバに対する端末装置からのＵＲＬを指定したアクセスに対し、上記端末装置に表示される情報提供ページを生成して当該端末装置に対して出力するシステムであって、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別手段と、当該識別した種類の端末装置に適合した形式の情報提供ページを生成して当該端末装置に対して出力するページ生成出力手段とを備えていることを特徴とする情報提供システム。
【請求項２】
上記端末識別手段は、端末装置としてコンピュータ端末および携帯電話端末をそれぞれ識別し、上記ページ生成出力手段は、コンピュータ端末と携帯電話端末にそれぞれ対応した形式の情報提供ページを生成して出力する請求項１または２記載の情報提供システム。
【請求項３】
上記ページ生成出力手段は、上記端末識別手段が端末装置としてコンピュータ端末を識別したときに二次元コードが表示された情報提供ページを出力し、上記端末識別手段が端末装置として携帯電話端末を識別したときに二次元コードが表示されていない情報提供ページを出力する請求項２記載の情報提供システム。
【請求項４】
上記ページ生成出力手段は、表示された二次元コードを光学的に読み取った情報提供ページと実質的に同じ情報が掲載された情報提供ページを生成して出力する請求項１〜３のいずれか一項に記載の情報提供システム。
【請求項５】
上記端末識別手段は、端末装置として携帯電話端末のキャリアの相違を識別し、上記ページ生成出力手段は、識別した携帯電話端末のキャリアに対応した形式の情報提供ページを生成して出力する請求項２〜４のいずれか一項に記載の情報提供システム。
【請求項６】
上記二次元コードには複数種類の端末において共通のＵＲＬが記録されている請求項１〜５のいずれか一項に記載の情報提供システム。
【請求項７】
上記ウェブサーバは、
上記情報提供ページを生成するために必要なデータに係るデータファイルを格納するデータファイル格納部と、
上記データファイル格納部に格納されたデータファイルに対応し、データを各種類の端末装置において所定のレイアウトで表示するためのスタイルシートファイルを格納するスタイルシートファイル格納部と、
上記端末識別手段で識別された種類の端末装置に対応した種類のスタイルシートファイルを選択するとともに、アクセス要求された情報提供ページに対応するデータファイルを選択してページ生成出力手段に対して入力するファイル選択手段をさらに備えている請求項１〜６のいずれか一項に記載の情報提供システム。
【請求項８】
上記スタイルシートファイルは端末装置の種類数に対応した種類数が準備され、上記データファイルは、複数種類のスタイルシートファイルにおいて共通のものを使用する請求項７記載の情報提供システム。
【請求項９】
通信ネットワークに接続されたウェブサーバに対する端末装置からのＵＲＬを指定したアクセスに対し、上記端末装置に表示される情報提供ページを生成して当該端末装置に対して出力する方法であって、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとを実行することを特徴とする情報提供方法。
【請求項１０】
通信ネットワークに接続されたウェブサーバに対する端末装置からのＵＲＬを指定したアクセスに対し、上記端末装置に表示される情報提供ページを生成して当該端末装置に対して出力するプログラムであって、
上記情報提供ページの画面には、当該情報提供ページへのアクセスを可能とするＵＲＬに関する情報が記録された二次元コードが表示され、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとをコンピュータ装置に実行させることを特徴とする情報提供プログラム。
【請求項１１】
インターネット経由で端末装置をウェブサーバに接続して所定のウェブページを端末装置に表示させて商取引を行う電子商取引システムであって、
上記ウェブページとして、店舗および／または商品を検索するための検索ページと、検索ページでの検索により店舗および／または商品の一覧を表示する一覧表示ページと、店舗および／または商品の詳細情報を表示する情報提供ページと、情報提供ページに表示された商品の購買処理および／または予約処理を行うための処理ページとが準備され、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別手段と、当該識別した種類の端末装置に適合した形式の情報提供ページを生成して当該端末装置に対して出力するページ生成出力手段とを備えていることを特徴とする電子商取引システム。
【請求項１２】
インターネット経由で端末装置をウェブサーバに接続して所定のウェブページを端末装置に表示させて商取引を行う電子商取引方法であって、
上記ウェブページとして、店舗および／または商品を検索するための検索ページと、検索ページでの検索により店舗および／または商品の一覧を表示する一覧表示ページと、店舗および／または商品の詳細情報を表示する情報提供ページと、情報提供ページに表示された商品の購買処理および／または予約処理を行うための処理ページとが準備され、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとを実行することを特徴とする電子商取引方法。
【請求項１３】
インターネット経由で端末装置をウェブサーバに接続して所定のウェブページを端末装置に表示させて商取引を行う電子商取引プログラムであって、
上記ウェブページとして、店舗および／または商品を検索するための検索ページと、検索ページでの検索により店舗および／または商品の一覧を表示する一覧表示ページと、店舗および／または商品の詳細情報を表示する情報提供ページと、情報提供ページに表示された商品の購買処理および／または予約処理を行うための処理ページとが準備され、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとをコンピュータ装置に実行させることを特徴とする電子商取引プログラム。
【発明の詳細な説明】
【技術分野】
【０００１】
本発明は、端末装置からのアクセスに対して情報提供ページを端末装置に表示する情報提供システムおよび方法ならびにプログラムに関する。
【背景技術】
【０００２】
近年、インターネットの普及により、インターネット上に各種のウェブサイトが構築され、世界中の端末装置により閲覧できるようになっている。このようなウェブサイトは、一般に、インターネット接続された端末装置においてＵＲＬを指定したアクセスによって端末装置に表示される。
【０００３】
一方、近年では、インターネット接続可能なカメラ付き携帯電話端末の普及により、雑誌等の印刷物に、ウェブサイトのＵＲＬの文字情報がコード化されたＱＲコード等の二次元コードを印刷しておき、携帯電話端末に付属のカメラでＱＲコードを光学的に読み取ってウェブサイトのＵＲＬ情報に変換し、そのＵＲＬ情報を利用してウェブサイトにアクセスすることが行われている（例えば下記の特許文献１および２）。
【０００４】
このようなウェブサイトは、通信販売サイトやホテル予約サイト等の商業サイトに適用されることが多く、印刷物による広告によりウェブサイトへのアクセス数を向上させる手段として利用されている。
【特許文献１】特開２０００−２６７９６６号公報
【特許文献２】特開２００５−２８４７７８号公報
【発明の開示】
【発明が解決しようとする課題】
【０００５】
しかしながら、上記従来のシステムでは、二次元コードを利用したアクセスは、トップページ、商品検索ページ、商品詳細ページ、購買処理ページ等の多数のページから構成されたウェブサイトのうち、トップページへの導入しか行われていなかった。したがって、顧客は携帯端末付属のカメラでＱＲコードを読み取ってＵＲＬ情報に変換し、そのＵＲＬ情報を利用してアクセスするページはトップページであり、そこから商品の詳細情報が掲載されたページを閲覧するためには、トップページからリンクをたどるなどの煩雑な操作をする必要があった。また、アクセス情報すなわちＵＲＬは、携帯電話端末のキャリアによって異なるため、複数のキャリアの携帯電話端末に対応しようとすると、キャリアの数だけＱＲコードを準備しなければならず、ＱＲコードの表示部分が大きくなってしまううえ、ユーザーにとってもわかり難いものになっていた。
【０００６】
本発明は、このような事情に鑑みなされたもので、複数種類の端末装置からのアクセスに対して情報提供ページを端末装置に表示できる情報提供システムおよび方法ならびにプログラム、電子商取引システムおよび方法ならびにプログラムを提供することを目的とする。
【課題を解決するための手段】
【０００７】
上記目的を達成するために、本発明の情報提供システムは、通信ネットワークに接続されたウェブサーバに対する端末装置からのＵＲＬを指定したアクセスに対し、上記端末装置に表示される情報提供ページを生成して当該端末装置に対して出力するシステムであって、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別手段と、当該識別した種類の端末装置に適合した形式の情報提供ページを生成して当該端末装置に対して出力するページ生成出力手段とを備えていることを要旨とする。
【０００８】
また、上記目的を達成するために、本発明の情報提供方法は、通信ネットワークに接続されたウェブサーバに対する端末装置からのＵＲＬを指定したアクセスに対し、上記端末装置に表示される情報提供ページを生成して当該端末装置に対して出力する方法であって、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとを実行することを要旨とする。
【０００９】
また、上記目的を達成するために、本発明の情報提供プログラムは、通信ネットワークに接続されたウェブサーバに対する端末装置からのＵＲＬを指定したアクセスに対し、上記端末装置に表示される情報提供ページを生成して当該端末装置に対して出力するプログラムであって、
上記情報提供ページの画面には、当該情報提供ページへのアクセスを可能とするＵＲＬに関する情報が記録された二次元コードが表示され、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとをコンピュータ装置に実行させることを要旨とする。
【発明の効果】
【００１０】
すなわち、本発明の情報提供システムおよび方法ならびにプログラムは、端末装置に表示された情報提供ページの画面に存在する二次元コードを光学的に読み取って、当該情報提供ページへのアクセスを可能とするＵＲＬを取得し、例えば上記端末装置とは異なる種類の端末装置で上記情報提供ページへのアクセス要求を行うことにより、端末装置の種類を識別して当該識別された種類の端末装置に適合した形式の情報提供ページを生成して当該端末装置に対して出力し表示させることができる。
【００１１】
このように、端末装置に表示された二次元コードを読み取ってその情報提供ページのＵＲＬを取得し、取得したＵＲＬを利用して異なる種類の端末装置により上記情報提供ページを表示させることができる。例えば、コンピュータ端末に表示された情報提供ページの二次元コードをカメラ付きの携帯電話端末で読み取って、上記情報提供ページを携帯電話端末に表示させて利用することができる。このように、例えば、自宅や職場のコンピュータ端末で利用した情報提供ページを、二次元コードを読み取ることにより携帯電話端末で再び利用することが可能となり、情報提供ページの携帯電話端末によるリピート利用が極めて行いやすくなる。したがって、従来のように、トップページからリンクをたどるなどの煩雑な操作をしなくても情報提供ページに簡単にアクセスすることができるようになる。
【００１２】
この際、端末装置の種類を端末識別手段で識別するため、異なる種類の端末装置間で共通のＵＲＬを使用することができ、同じ二次元コードを利用して複数種類の端末装置で上記情報提供ページを表示させることができる。したがって、従来のようなキャリアの数だけ二次元コードを準備することによる不都合が解消する。
【００１３】
本発明において、上記端末識別手段は、端末装置としてコンピュータ端末および携帯電話端末をそれぞれ識別し、上記ページ生成出力手段は、コンピュータ端末と携帯電話端末にそれぞれ対応した形式の情報提供ページを生成して出力する場合には、上記情報提供ページは、コンピュータ端末にはコンピュータ端末用の形式で、携帯電話端末には携帯電話端末用の形式で出力され、コンピュータ端末でも携帯電話端末でも利用することができる。また、例えば、コンピュータ端末と携帯電話端末とで同じデータファイルを共用することも可能となり、ファイル効率がよくなる。
【００１４】
本発明において、上記ページ生成出力手段は、上記端末識別手段が端末装置としてコンピュータ端末を識別したときに二次元コードが表示された情報提供ページを出力し、上記端末識別手段が端末装置として携帯電話端末を識別したときに二次元コードが表示されていない情報提供ページを出力する場合には、コンピュータ端末に表示させた情報提供ページから二次元コードをカメラ付きの携帯電話端末で光学的に読み取ってウェブサーバにアクセスし、上記情報提供ページを携帯電話端末で表示させて利用することができる。
【００１５】
本発明において、上記ページ生成出力手段は、表示された二次元コードを光学的に読み取った情報提供ページと実質的に同じ情報が掲載された情報提供ページを生成して出力する場合には、例えば、自宅や職場のコンピュータ端末で利用した情報提供ページを、二次元コードを読み取ることにより携帯電話端末で再び利用することが可能となり、情報提供ページの携帯電話端末によるリピート利用が極めて行いやすくなる。
【００１６】
本発明において、上記端末識別手段は、端末装置として携帯電話端末のキャリアの相違を識別し、上記ページ生成出力手段は、識別した携帯電話端末のキャリアに対応した形式の情報提供ページを生成して出力する場合には、複数種類のキャリアの携帯電話端末に対応して情報提供ページを出力することができる。
【００１７】
本発明において、上記二次元コードには複数種類の端末において共通のＵＲＬが記録されている場合には、コンピュータ端末や異なるキャリアの携帯電話端末において共通のＵＲＬでよいことから、端末装置の種類ごとに二次元コードを準備しなくてもよくなり、ユーザーも利用しやすくなる。
【００１８】
本発明において、上記ウェブサーバは、
上記情報提供ページを生成するために必要なデータに係るデータファイルを格納するデータファイル格納部と、
上記データファイル格納部に格納されたデータファイルに対応し、データを各種類の端末装置において所定のレイアウトで表示するためのスタイルシートファイルを格納するスタイルシートファイル格納部と、
上記端末識別手段で識別された種類の端末装置に対応した種類のスタイルシートファイルを選択するとともに、アクセス要求された情報提供ページに対応するデータファイルを選択してページ生成出力手段に対して入力するファイル選択手段をさらに備えている場合には、
スタイルシートファイルの選択により端末装置の種類に適合した形式の情報提供ページを出力することができる。
【００１９】
本発明において、上記スタイルシートファイルは端末装置の種類数に対応した種類数が準備され、上記データファイルは、複数種類のスタイルシートファイルにおいて共通のものを使用する場合には、データファイルを共用化することにより、ファイル効率がよくなる。
【００２０】
上記目的を達成するために、本発明の電子商取引システムは、インターネット経由で端末装置をウェブサーバに接続して所定のウェブページを端末装置に表示させて商取引を行う電子商取引システムであって、
上記ウェブページとして、店舗および／または商品を検索するための検索ページと、検索ページでの検索により店舗および／または商品の一覧を表示する一覧表示ページと、店舗および／または商品の詳細情報を表示する情報提供ページと、情報提供ページに表示された商品の購買処理および／または予約処理を行うための処理ページとが準備され、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別手段と、当該識別した種類の端末装置に適合した形式の情報提供ページを生成して当該端末装置に対して出力するページ生成出力手段とを備えていることを要旨とする。
【００２１】
また、上記目的を達成するために、本発明の電子商取引方法は、インターネット経由で端末装置をウェブサーバに接続して所定のウェブページを端末装置に表示させて商取引を行う電子商取引方法であって、
上記ウェブページとして、店舗および／または商品を検索するための検索ページと、検索ページでの検索により店舗および／または商品の一覧を表示する一覧表示ページと、店舗および／または商品の詳細情報を表示する情報提供ページと、情報提供ページに表示された商品の購買処理および／または予約処理を行うための処理ページとが準備され、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとを実行することを要旨とする。
【００２２】
また、上記目的を達成するために、本発明の電子商取引プログラムは、インターネット経由で端末装置をウェブサーバに接続して所定のウェブページを端末装置に表示させて商取引を行う電子商取引プログラムであって、
上記ウェブページとして、店舗および／または商品を検索するための検索ページと、検索ページでの検索により店舗および／または商品の一覧を表示する一覧表示ページと、店舗および／または商品の詳細情報を表示する情報提供ページと、情報提供ページに表示された商品の購買処理および／または予約処理を行うための処理ページとが準備され、
上記情報提供ページの画面には、当該情報提供ページへのアクセスを可能とするＵＲＬに関する情報が記録された二次元コードが表示され、
上記ウェブサーバは、
上記情報提供ページの二次元コードを光学的に読み取ることにより取得したＵＲＬを利用して端末装置により上記情報提供ページに対してアクセス要求されたときにアクセス要求した端末装置の種類を識別する端末識別ステップと、当該識別した種類の端末装置に適合した形式の情報提供ページを生成して当該端末装置に対して出力するページ生成出力ステップとをコンピュータ装置に実行させることを要旨とする。
【００２３】
すなわち、本発明の電子商取引システムおよび方法ならびにプログラムは、端末装置に表示された情報提供ページの画面に存在する二次元コードを光学的に読み取って、当該情報提供ページへのアクセスを可能とするＵＲＬを取得し、例えば上記端末装置とは異なる種類の端末装置で上記情報提供ページへのアクセス要求を行うことにより、端末装置の種類を識別して当該識別された種類の端末装置に適合した形式の情報提供ページを生成して当該端末装置に対して出力し表示させることができる。
【００２４】
このように、端末装置に表示された二次元コードを読み取ってその情報提供ページのＵＲＬを取得し、取得したＵＲＬを利用して異なる種類の端末装置により上記情報提供ページを表示させることができる。例えば、コンピュータ端末に表示された情報提供ページの二次元コードをカメラ付きの携帯電話端末で読み取って、上記情報提供ページを携帯電話端末に表示させて利用することができる。このように、例えば、自宅や職場のコンピュータ端末で利用した情報提供ページを、ＱＲコードを読み取ることにより携帯電話端末で再び利用することが可能となり、情報提供ページの携帯電話端末によるリピート利用が極めて行いやすくなる。したがって、従来のように、トップページからリンクをたどるなどの煩雑な操作をしなくても情報提供ページに簡単にアクセスすることができ、リピート客が非常に簡単な操作で購買処理まで進むことができるようになる。
【００２５】
この際、端末装置の種類を端末識別手段で識別するため、異なる種類の端末装置間で共通のＵＲＬを使用することができ、同じ二次元コードを利用して複数種類の端末装置で上記情報提供ページを表示させることができる。したがって、従来のようなキャリアの数だけＱＲコードを準備することによる不都合が解消する。
【発明を実施するための最良の形態】
【００２６】
以下、本発明を実施するための最良の形態について説明する。
【００２７】
図１は、本発明の情報提供システムおよび電子商取引システムが適用されるウェブサイトシステムを示すネットワーク構成を示す図である。このシステムにおいて、本発明の情報提供プログラムおよび電子商取引プログラムを実行して本発明の情報提供方法および電子商取引方法を実現し、本発明の情報提供システムおよび電子商取引システムとして機能する。
【００２８】
本発明のシステムは、インターネット２に接続されたウェブサーバ６と、上記ウェブサーバ６に接続されたデータベースサーバ７とを備えている。そして、同じくインターネット２に接続された端末装置４，５からのドメインを指定したアクセスに対し、上記端末装置４，５に表示されるウェブページを生成して端末装置４，５に対して出力するシステムである。
【００２９】
この例では、本発明を、インターネット２経由で端末装置４，５をウェブサーバ６に接続して所定のウェブページを端末装置４，５に表示させて商取引を行う電子商取引システムに適用した例を示している。したがって、詳しくは後述するが、上記ウェブページとして、トップページと、店舗および／または商品を検索するための検索ページと、検索ページでの検索により店舗および／または商品の一覧を表示する一覧表示ページと、店舗および／または商品の詳細情報を表示する情報提供ページと、情報提供ページに表示された商品の購買処理を行うための購買処理ページとが準備されている。
【００３０】
また、この実施形態は、電子商取引システムの一例としてホテル検索予約システムに適用した例を示しており、検索ページとしてのホテル検索ページ、一覧表示ページとしてのホテル一覧ページ、情報提供ページとしてのホテル詳細情報ページ、購買処理ページとしての予約処理ページがそれぞれ準備されている。これらのウェブページについての詳細は後述する。
【００３１】
上記端末装置として、コンピュータ端末４と、異なるキャリア（通信事業者）の複数種類の携帯電話端末５がインターネット２を経由してウェブサーバ６にアクセスしうるようになっている。この例では、キャリアＡ、キャリアＢ、キャリアＣの３種類のキャリアの携帯電話端末５がウェブサーバ６にアクセスしうるようになっている。
【００３２】
上記ウェブサイトシステムは、インターネット２に接続され、同じくインターネット２に接続されたコンピュータ端末４、携帯電話端末５においてウェブサイトの閲覧を可能とするウェブサーバ６と、上記ウェブサイトを構成するウェブページを生成するのに必要なデータテーブルが格納されて、上記ウェブサーバ６におけるウェブページを構築するためのデータを提供するためのデータベースサーバ７とを備えて構成されている。
【００３３】
上記ウェブサイトシステムを構成するウェブサーバ６およびデータベースサーバ７は、それぞれ通信インターフェースや大容量データ記憶装置などを備えたシステムであり、中央演算装置がハードディスク装置等の外部記憶装置に記録されたプログラムを読み出してメモリ上に展開し、そのプログラムに従って処理を実行することにより後に述べるような種々の機能を実現する。
【００３４】
上記ウェブサーバ６は、それぞれ情報通信ネットワーク（本実施形態ではインターネット２）に接続されている。このインターネット２には、ユーザが使用するコンピュータ端末４および携帯電話端末５が接続されている。
【００３５】
上記ウェブサーバ６は、インターネット２を介してアクセスしてきたコンピュータ端末４および携帯電話端末５と、例えばＨＴＴＰ（HyperText Transfer Protocol）等のプロトコルに従ってデータ通信を行うことでＷＥＢ配信サーバとして機能する。すなわち、ウェブサーバ６は、各端末装置４，５からのＵＲＬ（Uniform Resource Locator）を指定したアクセス要求に応じて、ＨＴＭＬ（HyperText Markup Language）等のデジタル文書記述言語により記述された文書や画像を含むデータであるウェブページを生成して当該コンピュータ端末４および携帯電話端末５へ向けて出力し送信する。上記ＵＲＬは、インターネットにおける情報の「住所」にあたるものであり、情報の種類やサーバ名、ポート番号、フォルダ名、ファイル名などから構成される。
【００３６】
上記ウェブサーバ６には、データベースサーバ７が付設されている。上記データベースサーバ７は、ウェブサーバ６によって端末装置４，５に対して閲覧させるために出力するウェブページを生成するために必要な各種のデータが記録された複数のデータテーブル２０Ａ〜２０Ｆと、各データテーブル２０Ａ〜２０Ｆに記録された情報をデータベース検索するデータベース検索手段（図示せず）とを備えている。
【００３７】
上記データテーブル２０Ａ〜２０Ｆには、このウェブサイトシステムにおいて閲覧等の対象とする種々のデータが記録され、データベース検索手段は、各データテーブル２０Ａ〜２０Ｆをデータベース検索することにより、必要なデータの抽出を行って、ウェブサーバ６に対して供給するようになっている。このデータベースサーバ７に格納されたデータは、後述する各ウェブページに表示されるコンテンツ等のデータである。
【００３８】
この例では、データテーブル２０Ａ〜２０Ｆとして、ウェブサイトを構成するウェブページとしてのトップページに表示するデータが記録されたトップページ用のデータテーブル２０Ａ、検索ページとしてのホテル検索ページに表示するデータが記録された検索ページ用のデータテーブル２０Ｂ、一覧表示ページとしてのホテル一覧ページに表示するデータが記録された一覧表示ページ用のデータテーブル２０Ｃ、情報提供ページとしてのホテル詳細情報ページに表示するデータが記録された情報提供ページ用のデータテーブル２０Ｄ、購買処理ページとしての予約処理ページに表示するデータが記録された予約処理ページ用のデータテーブル２０Ｅを備えている。さらに、上記トップページおよび情報提供ページに表示するための二次元コード（この例ではＱＲコード）の画像データが記録されたＱＲ画像用のデータテーブル２０Ｆを備えている。
【００３９】
上記トップページ用のデータテーブル２０Ａには、トップページに掲載するコンテンツのデータが記録される。上記検索ページ用のデータテーブル２０Ｂには、後述するように地域検索ボックス、最寄駅検索ボックス、宿泊日入力欄、価格帯入力欄、タイプ選択用のラジオボタン、検索ボタン等を表示するためのデータが記録される。上記一覧表示ページ用のデータテーブル２０Ｃには、検索ページによる検索で絞り込んだホテルの一覧を表示するために必要なデータが記録されている。上記情報提供ページ用のデータテーブル２０Ｄには、ホテルの詳細情報、例えば、外観写真、所在地、電話番号、ＦＡＸ番号、設備、価格、備品等、ホテル詳細情報ページに表示され、予約をするユーザーにとって必要なホテルおよび客室の情報が記録されている。上記予約処理ページ用のデータテーブル２０Ｅには、予約処理ページに表示されるデータが記録されている。
【００４０】
上記ＱＲコードとしては、トップページの画面に表示され当該トップページへのアクセスを可能とするＵＲＬに関する情報が記録されたものが準備されている。トップページは１つなので、トップページ用のＱＲコードは１つである。また、上記ＱＲコードとして、各ホテル詳細情報ページの画面に表示されて当該ホテル詳細情報ページへのアクセスを可能とするＵＲＬに関する情報が記録されたものが準備されている。上記ホテル詳細情報ページは、当該ホテル検索予約システムに登録されているホテルの数だけ準備されるので、ホテル詳細情報ページ用のＱＲコードは、ホテル詳細情報ページの数だけ準備される。
【００４１】
上記データベースサーバ７は、データベースサーバ７に格納されたデータのデータ更新を可能とするデータ更新用端末装置（図示せず）と接続され、データベースサーバ７とデータ更新用端末装置とを含んでイントラネットが構成されている。そして、上記イントラネットでは、データ更新用端末装置によって、データベースサーバ７に格納されているデータテーブル２０Ａ〜２０Ｆのデータを更新しうるようになっている。
【００４２】
ウェブサイトを構築するウェブページには、それぞれ固有のＵＲＬが与えられている。ユーザは、それぞれのコンピュータ端末４または携帯電話端末５でこのＵＲＬを指定したアクセス要求により、ウェブサーバ６へアクセスし、ＨＴＭＬ（HyperText Markup Language）等のデジタル文書記述言語により記述された上記ＵＲＬに対応したウェブページを表示して文書や画像等の情報を閲覧しうるようになっている。また、コンピュータ端末４または携帯電話端末５に表示されたウェブページにおいて、必要に応じて文書・画像等のデータや選択入力操作を入力してウェブサーバ６に対して送信し、必要な情報や意思決定情報をウェブサーバ６に対して送信しうるようになっている。
【００４３】
ウェブサイトを構築するウェブページは、コンピュータ端末４または携帯電話端末５からのＵＲＬを指定したアクセス要求に応じて、ページ生成出力手段１６で生成されて直接コンピュータ端末４または携帯電話端末５に対して出力される。
【００４４】
上記ウェブサーバ６は、上記情報提供ページを生成するために必要なデータに係るデータファイル１９を格納するデータファイル格納部１３、上記データファイル格納部１３に格納されたデータファイル１９に対応し、データを各種類の端末装置４，５において所定の形式で表示するためのスタイルシートファイル２３を格納するスタイルシートファイル格納部１５を備えている。
【００４５】
また、上記ウェブサーバ６は、上記情報提供ページのＱＲコードを光学的に読み取ることにより取得したＵＲＬを利用して端末装置４，５により上記情報提供ページに対してアクセス要求されたときにアクセス要求した端末装置４，５の種類を識別する端末識別手段１２と、当該識別した種類の端末装置４，５に適合した形式の情報提供ページを生成して当該端末装置４，５に対して出力するページ生成出力手段１６とを備えている。
【００４６】
また、上記ウェブサーバ６は、上記端末識別手段１２で識別された種類の端末装置４，５に対応した種類のスタイルシートファイル２３を選択するとともに、アクセス要求された情報提供ページに対応するデータファイル１９を選択してページ生成出力手段１６に対して入力するファイル選択手段１１を備えている。
【００４７】
また、上記ウェブサーバ６は、上記ウェブサーバ６をインターネット２に接続するための通信制御を行う通信制御手段１０、データベースサーバ７の各データテーブル２０Ａ〜２０Ｆから複数のデータファイル１９Ａ〜１９Ｅを生成するデータ生成部１４を備えている。
【００４８】
上記データ生成部１４は、データベースサーバ７の各データテーブル２０Ａ〜２０Ｆから複数のデータファイル１９Ａ〜１９Ｅを生成するとともに、データベースサーバ７におけるデータ更新に対応して所定のタイミングで更新されたデータベースサーバ７のデータテーブル２０Ａ〜２０Ｆからそれに対応したデータファイル１９Ａ〜１９Ｅを生成して更新する。データベースサーバ７のデータは、上述したように、図示しないデータ更新用端末装置から更新される。
【００４９】
図２は、データベースサーバ７のデータテーブル２０からデータファイル１９を生成する状態を説明する図である。
【００５０】
上記データテーブル２０は、例えばフィールド名４１ａ，４１ｂと各フィールド名４１ａ，４１ｂに対応する複数のデータ４２ａ，４２ｂとが記録されたものである。この例では、フィールド名４１ａ，４１ｂとして、「大カテゴリ」「中カテゴリ」が記録され、フィールド名４１ａ「大カテゴリ」に対応するデータ４２ａとして「コンピュータ」・・・が記録され、フィールド名４１ｂ「中カテゴリ」に対応するデータ４２ｂとして「デスクトップ」・・・が記録されている。
【００５１】
そして、上記データテーブル２０から、データ生成部１４によりデータファイル１９が生成される。この例では、上記データ生成部１４は、例えばＪａｖａ（登録商標）等により作成されたプログラムから構成される。そして、上記データ生成部１４によりデータファイル１９としてＸＭＬ（eXtensible Markup Language）文書で構成されたＸＭＬデータファイルが生成される。
【００５２】
この例では、上記データファイル１９は、所定のヘッダータグ４８とフッタータグ４９の間に、上記データテーブル２０から読み取られたフィールド名４１ａ，４１ｂとデータ４２ａ，４２ｂとを含むデータが記述される。この例では、上記データとして「大カテゴリ：コンピュータ＝中カテゴリ：デスクトップ」というデータが記述されている例を示している。
【００５３】
このようなＸＭＬデータファイルとしてのデータファイル１９は、各データテーブル２０に対応して複数生成される。そして、上記のようにしてデータ生成部１４で生成されたデータファイル１９はデータファイル格納部１３に格納される。
【００５４】
また、上記データ生成部１４は、データベースサーバ７に複数格納されたデータテーブル２０のいずれかのデータが更新されると、所定のタイミングで起動されて、データベースサーバ７の更新後のデータを読み取って、データファイル１９を生成して更新する。上記所定のタイミングは、データ生成部１４のプログラム設定により適宜設定することができる。例えば、いずれかのデータテーブル２０のデータ更新後随時とすることもできるし、１日後とすることもできる。また、データ更新の有無にかかわらず、１日毎や１週間毎など、一定期間毎に起動するよう設定することも可能である。
【００５５】
図３は、上記データファイル格納部１３およびスタイルシートファイル格納部１５におけるデータファイル１９Ａ〜１９Ｅと，スタイルシートファイル２３Ａ〜２３Ｅを示す図である。
【００５６】
上記データファイル格納部１３には、トップページを生成するためのトップページ用のデータファイル１９Ａ、ホテル検索ページを生成するための検索ページ用のデータファイル１９Ｂ、ホテル一覧ページを生成するための一覧ページ用のデータファイル１９Ｃ、ホテル詳細ページを生成するための詳細ページ用のデータファイル１９Ｄ、予約処理ページを生成するための予約処理ページ用のデータファイル１９Ｅが格納されている。ホテル詳細ページは登録ホテルの数だけ準備されるので、データファイル１９Ｄもホテル詳細ページに対応して同じ数だけ準備される。
【００５７】
上記スタイルシートファイル格納部１５には、複数のスタイルシートファイル２３が格納されたフォルダ２１が格納されている。
【００５８】
この例では、上記フォルダ２１として、アクセス要求のあった端末がコンピュータ端末４であったときに使用する複数のスタイルシートファイル２３Ｐが格納された第１のフォルダ２１Ｐと、アクセス要求のあった端末がキャリアＡの携帯電話端末５であったときに使用する複数のスタイルシートファイル２３Ａが格納された第２のフォルダ２１Ａと、アクセス要求のあった端末がキャリアＢの携帯電話端末５であったときに使用する複数のスタイルシートファイル２３Ｂが格納された第３のフォルダ２１Ｂと、アクセス要求のあった端末がキャリアＣの携帯電話端末５であったときに使用する複数のスタイルシートファイル２３Ｃが格納された第４のフォルダ２１Ｃとが準備されている。
【００５９】
上記第１のフォルダ２１Ｐには、コンピュータ端末４に適合した形式のウェブページを生成するスタイルシートファイル２３ＰＡ〜２３ＰＥが格納されている。すなわち、上記第１のフォルダ２１Ｐに格納されたスタイルシートファイル２３ＰＡ〜２３ＰＥは、データファイル格納部１３に格納された各データファイル１９Ａ〜１９Ｅに対応しており、コンピュータ端末４に適合した形式でトップページを生成するためのトップページ用のスタイルシートファイル２３ＰＡ、コンピュータ端末４に適合した形式で検索ページを生成するための検索ページ用のスタイルシートファイル２３ＰＢ、コンピュータ端末４に適合した形式で一覧ページを生成するための一覧ページ用のスタイルシートファイル２３ＰＣ、コンピュータ端末４に適合した形式でホテル詳細ページを生成するための詳細ページ用のスタイルシートファイル２３ＰＤ、コンピュータ端末４に適合した形式で予約処理ページを生成するための予約処理ページ用のスタイルシートファイル２３ＰＥが準備されている。
【００６０】
上記第２のフォルダ２１Ａには、キャリアＡの携帯電話端末５に適合した形式のウェブページを生成するスタイルシートファイル２３ＡＡ〜２３ＡＥが格納されている。すなわち、上記第２のフォルダ２１Ａに格納されたスタイルシートファイル２３ＡＡ〜２３ＡＥは、データファイル格納部１３に格納された各データファイル１９Ａ〜１９Ｅに対応しており、トップページを生成するためのトップページ用のスタイルシートファイル２３ＡＡ、検索ページを生成するための検索ページ用のスタイルシートファイル２３ＡＢ、一覧ページを生成するための一覧ページ用のスタイルシートファイル２３ＡＣ、ホテル詳細ページを生成するための詳細ページ用のスタイルシートファイル２３ＡＤ、予約処理ページを生成するための予約処理ページ用のスタイルシートファイル２３ＡＥが準備されている。
【００６１】
上記第３のフォルダ２１Ｂには、キャリアＢの携帯電話端末５に適合した形式のウェブページを生成し、トップページを生成するためのトップページ用のスタイルシートファイル２３ＢＡ、検索ページを生成するための検索ページ用のスタイルシートファイル２３ＢＢ、一覧ページを生成するための一覧ページ用のスタイルシートファイル２３ＢＣ、ホテル詳細ページを生成するための詳細ページ用のスタイルシートファイル２３ＢＤ、予約処理ページを生成するための予約処理ページ用のスタイルシートファイル２３ＢＥが準備されている。
【００６２】
上記第４のフォルダ２１Ｃには、キャリアＣの携帯電話端末５に適合した形式のウェブページを生成し、トップページを生成するためのトップページ用のスタイルシートファイル２３ＣＡ、検索ページを生成するための検索ページ用のスタイルシートファイル２３ＣＢ、一覧ページを生成するための一覧ページ用のスタイルシートファイル２３ＣＣ、ホテル詳細ページを生成するための詳細ページ用のスタイルシートファイル２３ＣＤ、予約処理ページを生成するための予約処理ページ用のスタイルシートファイル２３ＣＥが準備されている。
【００６３】
このように、上記スタイルシートファイル２３は端末装置４，５の種類数に対応した種類数が準備され、上記データファイル１９は、複数種類のスタイルシートファイル２３において共通のものが使用される。
【００６４】
この例では、データファイル格納部１３に格納されたデータファイル１９はそれぞれＸＭＬデータファイルであり、各スタイルシートファイル２３は、各ＸＭＬデータファイルをＸＭＬ文書やＨＴＭＬ文書に変換するためのＸＳＬＴ言語（XML Stylesheet Language Transformations）によるスタイルシートファイル２３である。
【００６５】
上記端末識別手段１２は、上記ウェブサーバ６のＵＲＬを指定してアクセス要求してきた端末装置４，５の端末の種類を識別する。
【００６６】
具体的には、アクセス要求のヘッダ情報であるユーザーエージェントを読み取り、ユーザーエージェントからブラウザの種類やバージョン、携帯電話端末５の機種名、ブラウザが動いているＯＳの種類やバージョン、ブラウザのメーカ、携帯電話端末５のキャリア名等の情報を取得し、アクセス要求してきた端末がコンピュータ端末４か携帯電話端末５かを識別したり、携帯電話端末５のキャリアが何かを識別したりする。
【００６７】
このように、上記端末識別手段１２は、端末装置４，５としてコンピュータ端末４および携帯電話端末５をそれぞれ識別し、さらに、端末装置４，５として携帯電話端末５のキャリアの相違を識別する。
【００６８】
上記ファイル選択手段１１は、データファイル格納部１３からデータファイル１９を読み出し、スタイルシートファイル格納部１５からスタイルシートファイル２３を読み出してページ生成出力手段１６に対して送り出す。
【００６９】
このとき、上記ファイル選択手段１１は、上記端末識別手段１２で識別された種類の端末装置４，５に対応した種類のスタイルシートファイル２３を選択するとともに、アクセス要求されたウェブページに対応するデータファイル１９を選択してページ生成出力手段１６に対して入力する。
【００７０】
例えば、コンピュータ端末４がアクセス要求してきた場合、上記ファイル選択手段１１は、データファイル格納部１３からアクセス要求のあったウェブページのデータファイル１９を選択するとともに、スタイルシートファイル格納部１５の第１のフォルダ２１Ｐからアクセス要求のあったウェブページのスタイルシートファイル２３Ｐを選択してページ生成出力手段１６に対して入力する。
【００７１】
また、キャリアＡの携帯電話端末５がアクセス要求してきた場合、上記ファイル選択手段１１は、データファイル格納部１３からアクセス要求のあったウェブページのデータファイル１９を選択するとともに、スタイルシートファイル格納部１５の第２のフォルダ２１Ａからアクセス要求のあったウェブページのスタイルシートファイル２３Ａを選択してページ生成出力手段１６に対して入力する。キャリアＢ、キャリアＣの携帯電話端末５がアクセス要求してきた場合も同様である。
【００７２】
このとき、端末装置４，５がトップページのＵＲＬを指定してアクセス要求してきた場合は、トップページのデータファイル１９Ａと、トップページ用のスタイルシートファイル２３ＰＡ，２３ＡＡ，２３ＢＡ，２３ＣＡを選択してページ生成出力手段１６に対して入力する。ホテル詳細情報ページのＵＲＬを指定してアクセス要求してきた場合は、該当するホテル詳細ページのデータファイル１９Ｄと、ホテル詳細情報ページ用のスタイルシートファイル２３ＰＤ，２３ＡＤ，２３ＢＤ，２３ＣＤを選択してページ生成出力手段１６に対して入力する。他のページのＵＲＬを指定してアクセス要求してきた場合も同様である。
【００７３】
上記ページ生成出力手段１６は、ページ生成部１７とページ出力部１８とから構成されている。
【００７４】
上記ページ生成部１７は、ファイル選択手段１１から入力されたデータファイル１９とそれに対応するスタイルシートファイル２３に基づいて所定のレイアウトでウェブページを生成する。上記ページ出力部１８は、上記のように生成されたウェブページを端末装置４，５に対して出力する。
【００７５】
上記ページ生成出力手段１６は、例えば、Cocoon、Tomcat、Apache等のアプリケーションプログラムから構成され、上記ファイル選択手段１１からデータファイル１９、スタイルシートファイル２３を受け取ることにより起動され、ウェブページを生成して動的に出力する。
【００７６】
このように、上記ページ生成出力手段１６は、コンピュータ端末４と携帯電話端末５にそれぞれ対応した形式の情報提供ページを生成して出力し、識別した携帯電話端末５のキャリアに対応した形式の情報提供ページを生成して出力する。
【００７７】
図４および図５は、本発明が適用されたホテル予約システムにおいて端末装置４，５でウェブページを閲覧する状態を示す。図４は、コンピュータ端末４でウェブページを閲覧する状態であり、図５は携帯電話端末５でウェブページを閲覧する状態である。
【００７８】
まず、コンピュータ端末４で上記ウェブサーバ６にアクセスし、ウェブページを閲覧してホテルの検索および予約を行う画面について説明する。
【００７９】
図４に示すように、まず、コンピュータ端末４によりトップページ２４ＰのＵＲＬを指定してウェブサーバ６に対してアクセス要求することにより、トップページ２４Ｐがコンピュータ端末４のブラウザにより表示装置に表示される。
【００８０】
このとき、上述したように、端末識別手段１２がアクセス要求してきたコンピュータ端末４のユーザーエージェントを読み取ってコンピュータ端末４であることを識別し、ファイル選択手段１１がデータファイル格納部１３からトップページ２４Ｐ用のデータファイル１９Ａを選択するとともに、スタイルシートファイル格納部１５の第１のフォルダ２１Ｐからコンピュータ端末４のトップページ２４Ｐ用のスタイルシートファイル２３ＰＡを選択してページ生成出力手段１６に入力し、ページ生成出力手段１６はコンピュータ端末４に適合した形式のトップページ２４Ｐを生成してコンピュータ端末４に対して出力する。これにより、コンピュータ端末４のブラウザによりトップページ２４Ｐが表示される。以下、ホテル検索ページ２５Ｐ、ホテル一覧ページ２６Ｐ、情報提供ページとしてのホテル詳細情報ページ２７Ｐ、予約処理ページ２８Ｐを表示させる場合も同様である。
【００８１】
上記トップページ２４Ｐには、ホテル検索ページ２５Ｐへのハイパーリンクが表示されていて、このハイパーリンクにマウスポインタを当ててクリックすることにより、コンピュータ端末４にはホテル検索ページ２５Ｐが表示される。
【００８２】
上記ホテル検索ページ２５Ｐには、例えば、泊まりたい地域を入力する入力ボックス、泊まりたい場所の最寄駅を入力する入力ボックス、宿泊日を入力する入力ボックス、宿泊数を入力する入力ボックス、希望の価格帯を入力する入力ボックス、シングル・ダブル・ツインなどのルームタイプを選択するラジオボタン等のホテルを検索して絞り込むために必要な情報すなわち検索条件を入力する入力欄と検索開始ボタンが設けられている。これらの入力欄はあくまで一例であり、これに限定するものではない。
【００８３】
上記各入力欄に必要な情報を入力して検索開始ボタンをクリックすると、上記各入力欄に入力された検索条件に適合するホテルが抽出されて一覧表示されたホテル一覧ページ２６Ｐが表示される。
【００８４】
上記ホテル一覧ページ２６Ｐには、検索で抽出されたホテルのホテル名が一覧表示され、表示されたホテル名にはそれぞれのホテルのホテル詳細情報ページ２７Ｐへのハイパーリンクが設定されている。したがって、上記一覧表示されたホテルから所望のホテルを選択してそのホテル名をクリックすることにより、クリックされたホテルの詳細情報が表示されたホテル詳細情報ページ２７Ｐが表示される。
【００８５】
上記ホテル詳細情報ページ２７Ｐには、例えば、ホテルの外観写真、所在地、電話番号、ＦＡＸ番号、地図や行き方等のアクセス方法、設備、備品、価格、客室情報等、ホテルを予約する顧客に提示する必要な情報と、予約処理ページに移る予約ボタンとが掲載されている。これらの情報はあくまで一例であり、これに限定するものではない。
【００８６】
上記ホテル詳細情報ページ２７Ｐの予約ボタンをクリックすると、予約処理ページ２８Ｐが表示され、予約処理を行いうるようになっている。
【００８７】
上記トップページ２４Ｐ、ホテル検索ページ２５Ｐ、ホテル一覧ページ２６Ｐ、ホテル詳細情報ページ２７Ｐ、予約処理ページ２８Ｐにより、一連のホテル検索およびホテル予約処理を実行できるようになっている。
【００８８】
そして、上記トップページ２４Ｐの画面には、当該トップページ２４Ｐへのアクセスを可能とするＵＲＬに関する情報が記録されたＱＲコード２２Ａが表示されている。また、情報提供ページとしてのホテル詳細情報ページ２７Ｐの画面には、当該ホテル詳細情報ページ２７Ｐへのアクセスを可能とするＵＲＬに関する情報が記録されたＱＲコード２２Ｂが表示されている。
【００８９】
そして、上記ＱＲコード２２Ａ，２２Ｂをカメラ付きの携帯電話端末５で光学的に読み取って、ＱＲコード２２Ａ，２２Ｂに記録されたＵＲＬを取得し、当該携帯電話端末５により取得したＵＲＬを利用してウェブサーバ６にアクセス要求を行い、ＱＲコード２２Ａ，２２Ｂが表示されたトップページ２４やホテル詳細情報ページ２７を携帯電話端末５に表示させることができるようになっている。
【００９０】
図５は、携帯電話端末５で上記ウェブサーバ６にアクセスし、ウェブページを閲覧してホテルの検索および予約を行う画面を説明する図である。
【００９１】
ウェブページをキャリアごとに示しており、キャリアＡの携帯電話端末５では、トップページ２４Ａ、ホテル検索ページ２５Ａ、ホテル一覧ページ２６Ａ、情報提供ページとしてのホテル詳細情報ページ２７Ａ、予約処理ページ２８Ａが表示されて閲覧が可能となっている。同様に、キャリアＢの携帯電話端末５では、トップページ２４Ｂ、ホテル検索ページ２５Ｂ、ホテル一覧ページ２６Ｂ、情報提供ページとしてのホテル詳細情報ページ２７Ｂ、予約処理ページ２８Ｂの閲覧が可能であり、キャリアＣの携帯電話端末５では、トップページ２４Ｃ、ホテル検索ページ２５Ｃ、ホテル一覧ページ２６Ｃ、情報提供ページとしてのホテル詳細情報ページ２７Ｃ、予約処理ページ２８Ｃが表示されて閲覧が可能となっている。
【００９２】
各ページに掲載される情報や入力欄、ボタン等の操作部は基本的にはコンピュータ端末４用の各ページ２４Ｐ，２５Ｐ，２６Ｐ，２７Ｐ，２８Ｐと同じ内容であり、各ページにおける操作は、マウスポインタを当ててクリックする代わりにカーソルを所定の位置に移動させて決定ボタンを押すのに変わる以外は、ほぼ同様であるので説明を省略する。
【００９３】
このとき、上述したように、端末識別手段１２がアクセス要求してきた携帯電話端末５のユーザーエージェントを読み取って携帯電話端末５であることおよびキャリアの種類を識別し、ファイル選択手段１１がデータファイル格納部１３からトップページ２４Ａ，２４Ｂ，２４Ｃ用のデータファイル１９Ａを選択するとともに、スタイルシートファイル格納部１５の第２〜第３のフォルダ２１Ａ，２１Ｂ，２１Ｃから各キャリア用のトップページ２４Ａ，２４Ｂ，２４Ｃ用のスタイルシートファイル２３ＡＡ，２３ＢＡ，２３ＣＡを選択してページ生成出力手段１６に入力し、ページ生成出力手段１６は各キャリアＡ，Ｂ，Ｃに適合した形式のトップページ２４Ａ，２４Ｂ，２４Ｃを生成して携帯電話端末５に対して出力する。これにより、携帯電話端末５のブラウザによりトップページ２４Ａ，２４Ｂ，２４Ｃが表示される。以下、ホテル検索ページ２５Ａ，２５Ｂ，２５Ｃ、ホテル一覧ページ２６Ａ，２６Ｂ，２６Ｃ、情報提供ページとしてのホテル詳細情報ページ２７Ａ，２７Ｂ，２７Ｃ、予約処理ページ２８Ａ，２８Ｂ，２８Ｃを表示させる場合も同様である。
【００９４】
上記携帯電話端末５用のトップページ２４Ａ，２４Ｂ，２４Ｃ、ホテル検索ページ２５Ａ，２５Ｂ，２５Ｃ、ホテル一覧ページ２６Ａ，２６Ｂ，２６Ｃ、情報提供ページとしてのホテル詳細情報ページ２７Ａ，２７Ｂ，２７Ｃ、予約処理ページ２８Ａ，２８Ｂ，２８Ｃは、コンピュータ端末４用のトップページ２４Ｐ、ホテル検索ページ２５Ｐ、ホテル一覧ページ２６Ｐ、情報提供ページとしてのホテル詳細情報ページ２７Ｐ、予約処理ページ２８Ｐと、共通のデータファイル１９を使用して生成されるため、ページ設定やレイアウトなどが異なるが、掲載される情報や入力欄、ボタン等の操作部は基本的には同じ内容である。
【００９５】
ただし、携帯電話端末５用のトップページ２４Ａ，２４Ｂ，２４Ｃ、情報提供ページとしてのホテル詳細情報ページ２７Ａ，２７Ｂ，２７Ｃには、ＱＲコードが表示されていない。
【００９６】
そして、本実施形態のシステムでは、コンピュータ端末４に表示させたウェブページのＱＲコード２２Ａ，２２Ｂをカメラ付きの携帯電話端末５で光学的に読み取り、そのＱＲコード２２Ａ，２２Ｂが表示されたページのＵＲＬを取得し、そのページを携帯電話端末５で表示させることができる。
【００９７】
具体的には、コンピュータ端末４にホテル検索ページ２５Ｐを表示させてホテル検索を行い、検索で抽出されたホテルが一覧表示されたホテル一覧ページ２６Ｐを表示させ、一覧表示されたホテルのなかから所望のホテルを選択して情報提供ページとしてのホテル詳細情報ページ２７Ｐを表示させる。そして、このホテル詳細情報ページ２７Ｐを見てそのホテルが気に入った等の理由で携帯電話端末５によるリピートアクセスを希望する場合は、ホテル詳細情報ページ２７Ｐに表示されたＱＲコード２２Ｂをカメラ等の光学的読み取り手段が付属した携帯電話端末５で光学的に読み取って、読み取ったＱＲコード２２Ｂから、当該ホテルのホテル詳細情報ページ２７ＰのＵＲＬ情報を取得する。
【００９８】
そして、ＱＲコード２２Ｂから取得したＵＲＬを利用して携帯電話端末５によりウェブサーバ６にアクセス要求を行い、ＱＲコード２２Ｂが表示されたホテル詳細情報ページ２７Ａ，２７Ｂ，２７Ｃを携帯電話端末５に表示させることができるようになっている。
【００９９】
このとき、携帯電話端末５がキャリアＡであれば、端末識別手段１２が携帯電話端末５のユーザーエージェントを読み取ってキャリアの種類を識別し、ファイル選択手段１１がデータファイル格納部１３からホテル詳細情報ページ２７Ａ，２７Ｂ，２７Ｃ用のデータファイル１９Ｄを選択するとともに、スタイルシートファイル格納部１５の第１フォルダ２１ＡからキャリアＡ用のホテル詳細情報ページ２７Ａ用のスタイルシートファイル２３ＡＤを選択してページ生成出力手段１６に入力し、ページ生成出力手段１６はキャリアＡに適合した形式のホテル詳細情報ページ２７Ａを生成して携帯電話端末５に対して出力する。これにより、キャリアＡの携帯電話端末５のブラウザにホテル詳細情報ページ２７Ａが表示される。携帯電話端末５がキャリアＢ、キャリアＣの場合も同様である。
【０１００】
これにより、コンピュータ端末４で表示させたホテル詳細情報ページ２７Ｐと実質的に同じ情報が掲載された携帯電話端末５用のホテル詳細情報ページ２７Ａ，２７Ｂ，２７Ｃを各種キャリアＡ，Ｂ，Ｃの携帯電話端末５によってリピートアクセスして表示させ閲覧することができる。このような機能により、ユーザーは、一度利用するなどして気に入ったホテルのホテル詳細情報ページ２７Ａ，２７Ｂ，２７Ｃに容易にリピートアクセスし、予約処理ページ２８Ａ，２８Ｂ，２８Ｃに移行して気軽に予約を行うことができる。
【０１０１】
このように、上記ページ生成出力手段１６は、上記端末識別手段１２が端末としてコンピュータ端末４を識別したときに二次元コードであるＱＲコード２２Ｂが表示された情報提供ページであるコンピュータ端末４用のホテル詳細ページ２７Ｐを出力し、上記端末識別手段１２が端末として携帯電話端末５を識別したときにＱＲコード２２Ｂが表示されていない携帯電話端末５用のホテル詳細情報ページ２７Ａ，２７Ｂ，２７Ｃを出力する。
【０１０２】
また、上記ページ生成出力手段１６は、表示された二次元コードであるＱＲコード２２Ｂを光学的に読み取った情報提供ページであるコンピュータ端末４用のホテル詳細ページ２７Ｐと実質的に同じ情報が掲載されたホテル詳細情報ページ２７Ａ，２７Ｂ，２７Ｃを生成して出力する。さらに、上記二次元コードであるＱＲコード２２Ｂには複数種類のキャリアＡ，Ｂ，Ｃの携帯電話端末５およびコンピュータ端末４において共通のＵＲＬが記録されている。
【０１０３】
また、コンピュータ端末４に表示させたトップページ２４ＰにもＱＲコード２２Ａが表示されており、このＱＲコード２２Ａをカメラ付きの携帯電話端末５で光学的に読み取りてトップページ２４ＰのＵＲＬを取得し、携帯電話端末５用のトップページ２４Ａ，２４Ｂ，２４Ｃを携帯電話端末５に表示させることもできる。
【０１０４】
図６および図７は、本発明をショッピングサイトに適用した例を示している。
【０１０５】
図６はコンピュータ端末４によって表示される画面の推移を示したものであり、図７は携帯電話端末５によって表示される画面の推移を示したものである。
【０１０６】
コンピュータ端末４でウェブサーバ６にアクセスし、ウェブページを閲覧して店舗や商品の検索および商品の購入を行う画面について説明する。
【０１０７】
図６に示すように、コンピュータ端末４によりトップページ３１ＰのＵＲＬを指定してウェブサーバ６に対してアクセス要求することにより、トップページ３１Ｐがコンピュータ端末４のブラウザにより表示装置に表示される。
【０１０８】
上記トップページ３１Ｐには、店舗検索により店舗から探す店舗検索ページ３２Ｐへのハイパーリンクと、商品検索により商品から探す商品検索ページ３８Ｐへのハイパーリンクとが表示されている。このハイパーリンクにマウスポインタを当ててクリックすることにより、コンピュータ端末４には店舗検索ページ３２Ｐ、商品検索ページ３８Ｐが表示される。
【０１０９】
まず、店舗検索からのページ推移について説明する。
【０１１０】
トップページ３１Ｐの店舗検索ページ３２Ｐへのハイパーリンクをクリックすると、コンピュータ端末４には店舗検索ページ３２Ｐが表示される。この店舗検索ページ３２Ｐには、店舗名や取扱い商品のカテゴリなどの店舗を検索するために必要な検索条件としてのキーワードを入力する入力ボックスと、検索開始ボタンとが設けられている。上記入力ボックスに所望のキーワードを入力して検索開始ボタンをクリックすることにより、検索で抽出された店舗の一覧が表示された店舗一覧ページ３３Ｐが表示される。
【０１１１】
店舗一覧ページ３３Ｐには、上記店舗検索により抽出された店舗名が一覧表示されている。表示された店舗名には、その店舗の詳細情報が掲載された店舗詳細情報ページ３４Ｐへのハイパーリンクが設けられている。したがって、上記一覧表示された店舗から所望の店舗を選択してその店舗名をクリックすることにより、クリックされた店舗の詳細情報が表示された店舗詳細情報ページ３４Ｐが表示される。
【０１１２】
上記店舗詳細情報ページ３４Ｐには、例えば、店舗の特徴やイメージを表現する画像や文章、電話番号、ＦＡＸ番号、メールアドレス等、店舗を選ぶ顧客に提示する必要な情報と、その店舗で取り扱っている商品の一覧が表示された店舗内商品一覧ページ３５Ｐに移る商品一覧へのハイパーリンクとが表示されている。これらの情報はあくまで一例であり、これに限定するものではない。
【０１１３】
上記店舗詳細情報ページ３４Ｐの商品一覧へのハイパーリンクをクリックすると、当該店舗で取り扱っている商品の一覧が表示された店舗内商品一覧ページ３５Ｐが表示される。表示された商品名には、その商品の詳細情報が掲載された商品詳細情報ページ３６Ｐへのハイパーリンクが設けられている。したがって、上記一覧表示された商品から所望の商品を選択してその商品名をクリックすることにより、クリックされた商品の詳細情報が表示された商品詳細情報ページ３６Ｐが表示される。
【０１１４】
上記商品詳細情報ページ３６Ｐには、商品の画像や、価格、サイズ、色、特徴等、商品を選ぶ顧客に提示する必要な情報と、その商品を購入するための購入処理を行う購入処理ページ３７Ｐに移動するための購入ボタンとが表示されている。
【０１１５】
上記商品詳細情報ページ３６Ｐの購入ボタンをクリックして購入処理ページ３７Ｐを表示させてその商品を購入するための処理を行うことができる。
【０１１６】
つぎに、商品検索からのページ推移について説明する。
【０１１７】
トップページ３１Ｐの商品検索ページ３８Ｐへのハイパーリンクをクリックすると、コンピュータ端末４には商品検索ページ３８Ｐが表示される。この商品検索ページ３８Ｐには、商品名や商品のカテゴリなどの商品を検索するために必要な検索条件としてのキーワードを入力する入力ボックスと、検索開始ボタンとが設けられている。上記入力ボックスに所望のキーワードを入力して検索開始ボタンをクリックすることにより、検索で抽出された商品の一覧が表示された商品一覧ページ３９Ｐが表示される。
【０１１８】
商品一覧ページ３９Ｐには、上記商品検索により抽出された商品名が一覧表示されている。表示された商品名には、その商品の詳細情報が掲載された商品詳細情報ページ３６Ｐへのハイパーリンクが設けられている。したがって、上記一覧表示された店舗から所望の商品を選択してその商品名をクリックすることにより、クリックされた商品の詳細情報が表示された商品詳細情報ページ３６Ｐが表示される。商品詳細情報ページ３６Ｐから以降の操作は同様である。
【０１１９】
この実施形態では、情報提供ページとしての店舗詳細情報ページ３４Ｐおよび商品詳細情報ページ３６ＰにそれぞれＱＲコード２２Ｄ，２２Ｅが表示されている。また、トップページ３１ＰにもＱＲコード２２Ｃが表示されている。
【０１２０】
そして、上記ＱＲコード２２Ｃ，２２Ｄ，２２Ｅをカメラ付きの携帯電話端末５で光学的に読み取って、ＱＲコード２２Ｃ，２２Ｄ，２２Ｅに記録されたＵＲＬを取得し、当該携帯電話端末５により取得したＵＲＬを利用してウェブサーバ６にアクセス要求を行い、ＱＲコード２２Ｃ，２２Ｄ，２２Ｅが表示されたトップページ３１や店舗詳細情報ページ３４、商品詳細情報ページ３６を携帯電話端末５に表示させることができるようになっている。
【０１２１】
図７は、携帯電話端末５で上記ウェブサーバ６にアクセスし、ウェブページを閲覧して店舗および商品の検索および商品の購入を行う画面を説明する図である。
【０１２２】
ウェブページをキャリアごとに示しており、キャリアＡの携帯電話端末５では、トップページ３１Ａ、店舗検索ページ３１Ａ、店舗一覧ページ３３Ａ、情報提供ページとしての店舗詳細情報ページ３４Ａ、店舗内商品一覧ページ３５Ａ、情報提供ページとしての商品詳細情報ページ３６Ａ、購入処理ページ３７Ａが表示されて閲覧等が可能となっている。また、図示していないが、商品検索ページおよび商品一覧ページも表示されて閲覧等が可能となっている。
【０１２３】
同様に、キャリアＢの携帯電話端末５では、トップページ３１Ｂ、店舗検索ページ３２Ｂ、店舗一覧ページ３３Ｂ、情報提供ページとしての店舗詳細情報ページ３４Ｂ、店舗内商品一覧ページ３５Ｂ、情報提供ページとしての商品詳細情報ページ３６Ｂ、購入処理ページ３７Ｂが表示されて閲覧等が可能となっており、キャリアＣの携帯電話端末５では、トップページ３１Ｃ、店舗検索ページ３２Ｃ、店舗一覧ページ３３Ｃ、情報提供ページとしての店舗詳細情報ページ３４Ｃ、店舗内商品一覧ページ３５Ｃ、情報提供ページとしての商品詳細情報ページ３６Ｃ、購入処理ページ３７Ｃが表示されて閲覧等が可能となっている。
【０１２４】
各ページに掲載される情報や入力欄、ボタン等の操作部は基本的にはコンピュータ端末４用の各ページ３１Ｐ，３２Ｐ，３３Ｐ，３４Ｐ，３５Ｐ，３６Ｐ，３７Ｐと同じ内容であり、各ページにおける操作は、マウスポインタを当ててクリックする代わりにカーソルを所定の位置に移動させて決定ボタンを押すのに変わる以外は、ほぼ同様であるので説明を省略する。
【０１２５】
これにより、店舗詳細情報ページ３４Ｐに表示されたＱＲコード２２Ｄをカメラ等の光学読み取り手段が付属した携帯電話端末５で光学的に読み取って、店舗詳細情報ページ３４ＰのＵＲＬを取得し、そのＵＲＬを利用して携帯電話端末５用の店舗詳細情報ページ３４Ａ，３４Ｂ，３４Ｃを携帯電話端末５に表示して閲覧等しうるようになっている。
【０１２６】
また、商品詳細情報ページ３６Ｐに表示されたＱＲコード２２Ｅをカメラ等の光学読み取り手段が付属した携帯電話端末５で光学的に読み取って、商品詳細情報ページ３６ＰのＵＲＬを取得し、そのＵＲＬを利用して携帯電話端末５用の商品詳細情報ページ３６Ａ，３６Ｂ，３６Ｃを携帯電話端末５に表示して閲覧等しうるようになっている。
【０１２７】
このように、コンピュータ端末４で表示させた店舗詳細情報ページ３４Ｐ、商品詳細情報ページ３６Ｐと実質的に同じ情報が掲載された携帯電話端末５用の店舗詳細情報ページ３４Ａ，３４Ｂ，３４Ｃならびに商品詳細情報ページ３６Ａ，３６Ｂ，３６Ｃを各種キャリアＡ，Ｂ，Ｃの携帯電話端末５によってリピートアクセスして表示させ閲覧することができる。このような機能により、ユーザーは、一度利用するなどして気に入った店舗の店舗詳細情報ページ３４Ａ，３４Ｂ，３４Ｃや、以前購入して気に入った商品の商品詳細情報ページ３６Ａ，３６Ｂ，３６Ｃに容易にリピートアクセスし、購入処理ページ３７Ａ，３７Ｂ，３８Ｃに移行して気軽に購入を行うことができる。
【０１２８】
以上のように、本発明によれば、端末装置に表示された情報提供ページの画面に存在する二次元コードを光学的に読み取って、当該情報提供ページへのアクセスを可能とするＵＲＬを取得し、例えば上記端末装置とは異なる種類の端末装置で上記情報提供ページへのアクセス要求を行うことにより、端末装置の種類を識別して当該識別された種類の端末装置に適合した形式の情報提供ページを生成して当該端末装置に対して出力し表示させることができる。
【０１２９】
このように、端末装置に表示された二次元コードを読み取ってその情報提供ページのＵＲＬを取得し、取得したＵＲＬを利用して異なる種類の端末装置により上記情報提供ページを表示させることができる。例えば、コンピュータ端末に表示された情報提供ページの二次元コードをカメラ付きの携帯電話端末で読み取って、上記情報提供ページを携帯電話端末に表示させて利用することができる。このように、例えば、自宅や職場のコンピュータ端末で利用した情報提供ページを、二次元コードを読み取ることにより携帯電話端末で再び利用することが可能となり、情報提供ページの携帯電話端末によるリピート利用が極めて行いやすくなる。したがって、従来のように、トップページからリンクをたどるなどの煩雑な操作をしなくても情報提供ページに簡単にアクセスすることができるようになる。
【０１３０】
この際、端末装置の種類を端末識別手段で識別するため、異なる種類の端末装置間で共通のＵＲＬを使用することができ、同じ二次元コードを利用して複数種類の端末装置で上記情報提供ページを表示させることができる。したがって、従来のようなキャリアの数だけ二次元コードを準備することによる不都合が解消する。
【０１３１】
また、上記端末識別手段は、端末装置としてコンピュータ端末および携帯電話端末をそれぞれ識別し、上記ページ生成出力手段は、コンピュータ端末と携帯電話端末にそれぞれ対応した形式の情報提供ページを生成して出力するため、上記情報提供ページは、コンピュータ端末にはコンピュータ端末用の形式で、携帯電話端末には携帯電話端末用の形式で出力され、コンピュータ端末でも携帯電話端末でも利用することができる。また、例えば、コンピュータ端末と携帯電話端末とで同じデータファイルを共用することも可能となり、ファイル効率がよくなる。
【０１３２】
また、上記ページ生成出力手段は、上記端末識別手段が端末装置としてコンピュータ端末を識別したときに二次元コードが表示された情報提供ページを出力し、上記端末識別手段が端末装置として携帯電話端末を識別したときに二次元コードが表示されていない情報提供ページを出力するため、コンピュータ端末に表示させた情報提供ページから二次元コードをカメラ付きの携帯電話端末で光学的に読み取ってウェブサーバにアクセスし、上記情報提供ページを携帯電話端末で表示させて利用することができる。
【０１３３】
また、上記ページ生成出力手段は、表示された二次元コードを光学的に読み取った情報提供ページと実質的に同じ情報が掲載された情報提供ページを生成して出力するため、例えば、自宅や職場のコンピュータ端末で利用した情報提供ページを、二次元コードを読み取ることにより携帯電話端末で再び利用することが可能となり、情報提供ページの携帯電話端末によるリピート利用が極めて行いやすくなる。
【０１３４】
また、上記端末識別手段は、端末装置として携帯電話端末のキャリアの相違を識別し、上記ページ生成出力手段は、識別した携帯電話端末のキャリアに対応した形式の情報提供ページを生成して出力するため、複数種類のキャリアの携帯電話端末に対応して情報提供ページを出力することができる。
【０１３５】
また、上記二次元コードには複数種類の端末において共通のＵＲＬが記録されているため、コンピュータ端末や異なるキャリアの携帯電話端末において共通のＵＲＬでよいことから、端末装置の種類ごとに二次元コードを準備しなくてもよくなり、ユーザーも利用しやすくなる。
【０１３６】
また、上記ウェブサーバは、
上記情報提供ページを生成するために必要なデータに係るデータファイルを格納するデータファイル格納部と、
上記データファイル格納部に格納されたデータファイルに対応し、データを各種類の端末装置において所定のレイアウトで表示するためのスタイルシートファイルを格納するスタイルシートファイル格納部と、
上記端末識別手段で識別された種類の端末装置に対応した種類のスタイルシートファイルを選択するとともに、アクセス要求された情報提供ページに対応するデータファイルを選択してページ生成出力手段に対して入力するファイル選択手段をさらに備えているため、
スタイルシートファイルの選択により端末装置の種類に適合した形式の情報提供ページを出力することができる。
【０１３７】
また、上記スタイルシートファイルは端末装置の種類数に対応した種類数が準備され、上記データファイルは、複数種類のスタイルシートファイルにおいて共通のものを使用するため、データファイルを共用化することにより、ファイル効率がよくなる。
【図面の簡単な説明】
【０１３８】
【図１】本発明が適用されるウェブサイトシステムを示すネットワーク構成図である。
【図２】データテーブルからデータファイルを生成する状態を説明する図である。
【図３】ファイル格納部を示す図である。
【図４】コンピュータ端末でウェブページを閲覧する状態を説明する図である。
【図５】携帯電話端末でウェブページを閲覧する状態を説明する図である。
【図６】ウェブページの第２例を示す図である。
【図７】ウェブページの第２例を示す図である。
【符号の説明】
【０１３９】
２：インターネット
４：コンピュータ端末
５：携帯電話端末
６：ウェブサーバ
７：データベースサーバ
８：ウェブページ生成手段
９：ウェブページ格納部
１０：通信制御手段
１１：ファイル選択手段
１２：端末識別手段
１３：データファイル格納部
１４：データ生成部
１５：スタイルシートファイル格納部
１６：ページ生成出力手段
１７：ページ生成部
１８：ページ出力部
１９，１９Ａ〜１９Ｅ：データファイル
２０，２０Ａ〜２０Ｆ：データテーブル
２１，２１Ｐ，２１Ａ，２１Ｂ，２１Ｃ：フォルダ
２２Ａ〜２２Ｅ：ＱＲコード
２３：スタイルシートファイル
２３ＰＡ，２３ＰＢ，２３ＰＣ，２３ＰＤ，２３ＰＥ：スタイルシートファイル
２３ＡＡ，２３ＡＢ，２３ＡＣ，２３ＡＤ，２３ＡＥ：スタイルシートファイル
２３ＢＡ，２３ＢＢ，２３ＢＣ，２３ＢＤ，２３ＢＥ：スタイルシートファイル
２３ＣＡ，２３ＣＢ，２３ＣＣ，２３ＣＤ，２３ＣＥ：スタイルシートファイル
２４Ｐ，２４Ａ，２４Ｂ，２４Ｃ：トップページ
２５Ｐ，２５Ａ，２５Ｂ，２５Ｃ：ホテル検索ページ
２６Ｐ，２６Ａ，２６Ｂ，２６Ｃ：ホテル一覧ページ
２７Ｐ，２７Ａ，２７Ｂ，２７Ｃ：ホテル詳細情報ページ
２８Ｐ，２８Ａ，２８Ｂ，２８Ｃ：予約処理ページ
３１Ｐ，３１Ａ，３１Ｂ，３１Ｃ：トップページ
３２Ｐ，３２Ａ，３２Ｂ，３２Ｃ：店舗検索ページ
３３Ｐ，３３Ａ，３３Ｂ，３３Ｃ：店舗一覧ページ
３４Ｐ，３４Ａ，３４Ｂ，３４Ｃ：店舗詳細情報ページ
３５Ｐ，３５Ａ，３５Ｂ，３５Ｃ：店舗内商品一覧ページ
３６Ｐ，３６Ａ，３６Ｂ，３６Ｃ：商品詳細情報ページ
３７Ｐ，３７Ａ，３７Ｂ，３７Ｃ：購入処理ページ
３８Ｐ：商品検索ページ
３９Ｐ：商品一覧ページ
４１ａ，４１ｂ：フィールド名
４２ａ，４２ｂ：データ
４８：ヘッダータグ
４９：フッタータグ
【図１】
2007279864.tif 000003
【図２】
2007279864.tif 000004
【図３】
2007279864.tif 000005
【図４】
2007279864.tif 000006
【図５】
2007279864.tif 000007
【図６】
2007279864.tif 000008
【図７】
2007279864.tif 000009